(57)【要約】【課題】ＭＩＭＯ通信システムにおいて不要な再送の抑制とフィードバック情報の削減とを両立させること。【解決手段】アンテナ３１６、ＡＤＣ３１８、ＭＩＭＯ復号化３２０、デマッピング３２２、デインタリーブ３２４及び復号化３２６により、複数アンテナ３１６の全てから受信すべき信号に単一のＣＲＣデータが付加される第一のタイプの構成と、複数アンテナ３１６のそれぞれから受信すべき信号に異なるＣＲＣデータが付加される第二のタイプの構成と、複数アンテナ３１６の中のアンテナグループに含まれる全アンテナから受信すべき信号に単一のＣＲＣデータが付加されるとともに複数アンテナ３１６の中のアンテナグループに含まれないアンテナから受信すべき信号に異なるＣＲＣデータが付加される第三のタイプの構成と、のうちいずれかから選択された構成に従ってＣＲＣデータが付加された信号を受信する。【選択図】図３Ｂ
2011050080.tif 000002
【特許請求の範囲】
【請求項１】
複数のアンテナと、
前記複数アンテナの全てから受信すべき信号に単一のＣＲＣデータが付加される第一のタイプの構成と、前記複数アンテナのそれぞれから受信すべき信号に異なるＣＲＣデータが付加される第二のタイプの構成と、前記複数アンテナの中のアンテナグループに含まれる全アンテナから受信すべき信号に単一のＣＲＣデータが付加されるとともに前記複数アンテナの中の前記アンテナグループに含まれないアンテナから受信すべき信号に異なるＣＲＣデータが付加される第三のタイプの構成と、のうちいずれかから選択された構成に従ってＣＲＣデータが付加された信号を受信する、受信手段と、
前記受信手段が受信した前記信号に付加された前記ＣＲＣデータを用いて誤り検出を行う誤り検出手段と、
を有する、無線通信装置。
【請求項２】
複数アンテナの全てから受信すべき信号に単一のＣＲＣデータが付加される第一のタイプの構成と、前記複数アンテナのそれぞれから受信すべき信号に異なるＣＲＣデータが付加される第二のタイプの構成と、前記複数アンテナの中のアンテナグループに含まれる全アンテナから受信すべき信号に単一のＣＲＣデータが付加されるとともに前記複数アンテナの中の前記アンテナグループに含まれないアンテナから受信すべき信号に異なるＣＲＣデータが付加される第三のタイプの構成と、のうちいずれかから選択された構成に従ってＣＲＣデータが付加された信号を受信するステップと、
受信した前記信号に付加された前記ＣＲＣデータを用いて誤り検出を行うステップと、
を有する、無線通信方法。
【請求項３】
複数アンテナと、
複数アンテナの全てから受信すべき信号に単一のＣＲＣデータが付加される第一のタイプの構成に従ってＣＲＣデータが付加された信号を、前記複数アンテナを介して受信する受信手段と、
前記受信手段によって受信された前記信号に対して、前記信号に付加された前記データを用いて誤り検出を行う誤り検出手段と、
を有する無線受信装置。
【発明の詳細な説明】
【技術分野】
【０００１】
本発明は、ＭＩＭＯ（Multiple Input Multiple Output）通信システムにおいて用いられる無線通信装置、無線通信方法及び無線受信装置に関する。
【背景技術】
【０００２】
複数データストリームの同時送信は、複数（例えばＮＴ本）の送信アンテナ及び複数（例えばＮＲ本）の受信アンテナを備えたＭＩＭＯ通信システムにおいて実行される。信号は、送信アンテナから送信され、複数の経路を経由し、反射や散乱を受けてから受信アンテナに到達する。ＭＩＭＯシステムの主要な特徴は、マルチパス伝搬を利用してユーザの利益に替える能力である。このような利点の一つは、空間多重の利用によるシステム容量の増大である。なお、空間多重は、一般に、個別の送信リンク上で独立のデータを送信することによって実現される。
【０００３】
高速なデータサービスであってＩＰにより深く根差したデータサービスに適応すべくシフトしていく将来の技術は、スペクトル効率、システムのユーザ容量、エンドトゥエンドの待ち時間、及びサービス品質の管理などの要求を満たすことが求められる。これらの基準の幾つかを満たす上で重要な役割を果たす技術の一例として、自動再送要求（ＡＲＱ）が挙げられる。ＡＲＱは、高速で且つ信頼性を有する配信を確実にするのに役立つ。
【０００４】
ＡＲＱは、受信パケットデータに誤りが検出されたときに受信パケットデータの再送要求を送るための技術である。大量の高速データの伝送においては、再送要求の数を減らすために、一般に、より効率的なＡＲＱ技術が用いられる。
【０００５】
ＡＲＱの一般的な実施例では、各パケットは、誤り検出のために、ＣＲＣ（Cyclic Redundancy Check）と関連付けられる。受信機では、各パケットの内容の有効性が、ＣＲＣの使用によって検証される。パケットの内容が誤りを含んでいる場合は、受信機は再送を要求する。ＭＩＭＯシステムの場合、あるパケットに単一のＣＲＣデータ（以下「シングルＣＲＣ」と言う）が単純に付加され、このパケットが複数アンテナを用いて送信される。異なるアンテナから送信されたサブストリームは通常、異なるリンク状況に直面するため、異なる誤り統計値を有する。全アンテナの信号が誤りを有する確率はとても小さく、特に、多数のアンテナが用いられるときにそのようになる。誤りが検出された場合、パケット全体が再送されなければならない。これは、シングルＣＲＣのみが用いられているためである。したがって、正しく受信されたサブストリームも再送され、これにより、スループットが不要に浪費される。
【０００６】
不要な再送を抑制するための方法の一例が、非特許文献１において提案されている。この提案方法は、サブストリーム間でＡＲＱ処理を分離するアンテナ毎エンコーダを用いる。複数のアンテナ毎エンコーダを用いると、複数の送信アンテナがシングルＡＲＱの処理を共有するという制約を無くすことができる。これにより、複数の応答信号が送信機に返信される。送信機は、誤りを有するサブストリームを再送すべきか否かを判断する。したがって、誤りのないサブストリームの再送が不要となるので、スループットは著しく増大する。
【先行技術文献】
【非特許文献】
【０００７】
【非特許文献１】"Multiple ARQ Processes for MIMO systems", the IEEE International Symposium on Personal, Indoor and Mobile Radio Communications 2002
【発明の概要】
【発明が解決しようとする課題】
【０００８】
複数アンテナのために単一のＣＲＣのみを使用すると、１、２本のアンテナのみからの受信信号が誤りを含んでいたときに不要な再送が行われるという事態が生じるが、複数のＣＲＣデータ（以下「マルチＣＲＣ」と言う）によるＡＲＱ処理を用いると、このような事態は生じない。しかしながら、マルチＣＲＣによるＡＲＱ処理は、複数の応答（つまりフィードバック情報）による上りリンクのシグナリングオーバヘッドの増大を伴う。特に使用アンテナ数が大きい場合は、このことについて考慮する必要がある。すなわち、従来のＡＲＱでは、不要な再送の抑制とフィードバック情報の削減とを両立させることが困難であった。
【０００９】
本発明の目的は、ＭＩＭＯ通信システムにおいて不要な再送の抑制とフィードバック情報の削減とを両立させることができる無線通信装置、無線通信方法及び無線受信装置を提供することである。
【課題を解決するための手段】
【００１０】
本発明の無線通信装置は、複数のアンテナと、前記複数アンテナの全てから受信すべき信号に単一のＣＲＣデータが付加される第一のタイプの構成と、前記複数アンテナのそれぞれから受信すべき信号に異なるＣＲＣデータが付加される第二のタイプの構成と、前記複数アンテナの中のアンテナグループに含まれる全アンテナから受信すべき信号に単一のＣＲＣデータが付加されるとともに前記複数アンテナの中の前記アンテナグループに含まれないアンテナから受信すべき信号に異なるＣＲＣデータが付加される第三のタイプの構成と、のうちいずれかから選択された構成に従ってＣＲＣデータが付加された信号を受信する、受信手段と、前記受信手段が受信した前記信号に付加された前記CRCデータを用いて誤り検出を行う誤り検出手段と、を有する構成を採る。
【００１１】
本発明の無線通信方法は、複数アンテナの全てから受信すべき信号に単一のＣＲＣデータが付加される第一のタイプの構成と、前記複数アンテナのそれぞれから受信すべき信号に異なるＣＲＣデータが付加される第二のタイプの構成と、前記複数アンテナの中のアンテナグループに含まれる全アンテナから受信すべき信号に単一のＣＲＣデータが付加されるとともに前記複数アンテナの中の前記アンテナグループに含まれないアンテナから受信すべき信号に異なるＣＲＣデータが付加される第三のタイプの構成と、のうちいずれかから選択された構成に従ってCRCデータが付加された信号を受信するステップと、受信した前記信号に付加された前記ＣＲＣデータを用いて誤り検出を行うステップと、を有するようにした。
【００１２】
本発明の無線受信装置は、複数アンテナと、複数アンテナの全てから受信すべき信号に単一のＣＲＣデータが付加される第一のタイプの構成に従ってＣＲＣデータが付加された信号を、前記複数アンテナを介して受信する受信手段と、前記受信手段によって受信された前記信号に対して、前記信号に付加された前記データを用いて誤り検出を行う誤り検出手段と、を有する構成を採る。
【発明の効果】
【００１３】
本発明によれば、ＭＩＭＯ通信システムにおいて不要な再送の抑制とフィードバック情報の削減とを両立させることができる。
【図面の簡単な説明】
【００１４】
【図１Ａ】シングルＣＲＣの付加を伴う送信機の構成例を示す図
【図１Ｂ】シングルＣＲＣによる誤り検出を伴う受信機の構成例を示す図
【図２Ａ】マルチＣＲＣの付加を伴う送信機の構成例を示す図
【図２Ｂ】マルチＣＲＣによる誤り検出を伴う受信機の構成例を示す図
【図３Ａ】本発明の一実施の形態に係る送信機の構成を示す図
【図３Ｂ】本発明の一実施の形態に係る受信機の構成を示す図
【図４Ａ】本発明の一実施の形態に係るアンテナ構成の一例を示す図
【図４Ｂ】本発明の一実施の形態に係るアンテナ構成の他の例を示す図
【図４Ｃ】本発明の一実施の形態に係るアンテナ構成のさらに他の例を示す図
【図５】本発明の一実施の形態に係る再送時のアンテナ構成選択の第一の例を示す図
【図６】本発明の一実施の形態に係る再送時のアンテナ構成選択の第二の例を示す図
【図７】本発明の一実施の形態に係る再送時のアンテナ構成選択の第三の例を示す図
【図８】本発明の一実施の形態に係る再送時のアンテナ構成選択の第四の例を示す図
【発明を実施するための形態】
【００１５】
以下、本発明の実施の形態について、図面を用いて詳細に説明する。
【００１６】
図１Ａ及び図１Ｂは、シングルＣＲＣの付加が用いられるＭＩＭＯ無線通信システムの図である。図１Ａは、送信機の構成を示し、図１Ｂは、受信機の構成を示す。
【００１７】
図１Ａを参照する。送信機では、存在するアンテナ数とは無関係に、単一ストリームのデータのためにデータ処理が行われる。入力されたバイナリデータは、まずＣＲＣ付加１０２を受けた後、チャネル符号化１０４（例えば、畳み込み符号化、ターボ符号化など）が実行される。符号化データは、複数アンテナを介して送信すべき複数のストリームに多重化される。そして、各アンテナに対応するストリームは、データ内のバースト誤りを低減すべく、インタリーブ１０６を受ける。複数振幅且つ複数コンスタレーションによるシンボルマッピング１０８が、インタリーブされたデータに対して行われる。そして、パイロット信号挿入１１０が、受信機でのチャネル推定のために行われる。
【００１８】
送信の前に、ディジタル信号は、ディジタルアナログコンバータ（ＤＡＣ）モジュール１１２によってアナログ信号に変換される。上記の処理を経た後、信号は、各々に割り当てられた送信アンテナ１１４を介して送信される。
【００１９】
図１Ｂを参照する。受信機では、受信アンテナ１１６で受信された信号に対して、前述した処理の逆の処理、例えばアナログディジタルコンバータ（ＡＤＣ）１１８によるアナログディジタル変換が、行われる。受信信号は、複数の送信アンテナ１１４から送信された重複信号を含んでいるため、受信信号は、それぞれのストリームに分離される必要がある。この分離処理は、例えばチャネル逆行列、最尤判定又はＶ−ＢＬＡＳＴなどのＭＩＭＯ復号化１２０によって実現される。
【００２０】
さらにデマッピング１２２及びデインタリーブ１２４の後、データは、オリジナルのパケットサイズとなるよう逆多重化され、そのパケットは、復号化１２６を受ける。そして、データの有効性を評価するために、パケットに対してＣＲＣ誤り検出１２８が行われる。チェックされたパケットが誤りなしであると判定された場合、ＡＣＫ（Acknowledgement）が送信機に対して送信され、送信機はそのパケットの再送を行わない。一方、ＮＡＣＫ（Negative Acknowledgement）は、再送を要求するために送信機に対して送信される。
【００２１】
図２Ａ及び図２Ｂは、マルチＣＲＣが適用されるＭＩＭＯ無線通信システムの図である。図２Ａは、送信機の構成を示し、図２Ｂは、受信機の構成を示す。
【００２２】
図２Ａを参照する。この送信機のインタリーブ２０６、シンボルマッピング２０８、パイロット信号挿入２１０、ＤＡＣ２１２及び送信アンテナ２１４については、図１Ａを用いて説明した送信機におけるインタリーブ１０６、シンボルマッピング１０８、パイロット信号挿入１１０、ＤＡＣ１１２及び送信アンテナ１１４と同様である。図２Ａの送信機は、複数のＣＲＣ付加２０２及び複数のチャネル符号化２０４を含むという点で、図１Ａの送信機と相違する。
【００２３】
つまり、図２Ｂに示された受信機では、各受信アンテナチェーンの各データパケットが、ＣＲＣ誤り検出を受けることとなる。この受信機の受信アンテナ２１６、ＡＤＣ２１８、ＭＩＭＯ復号化２２０、デマッピング２２２及びデインタリーブ２２４については、図１Ｂを用いて説明した受信機における受信アンテナ１１６、ＡＤＣ１１８、ＭＩＭＯ復号化１２０、デマッピング１２２及びデインタリーブ１２４と同様である。図２Ｂの受信機は、複数の復号化２２６及び複数のＣＲＣ誤り検出２２８を含むという点で、図１Ｂの受信機と相違する。
【００２４】
受信機は、各データストリームについてのＡＲＱ情報を、高速ＡＲＱフィードバックチャネルを介して送信機に対してフィードバックする。この構成の利点は、誤りが検出されたときに必ず全アンテナからのデータが再送されるということが必要でなくなることである。崩れてしまったデータストリームだけが再送を要する。全データストリームが誤りを有する確率は低いので、この送信方法は、データスループットの改善をもたらすことができる。
【００２５】
図３Ａ及び図３Ｂは、本発明の一実施の形態に係るＭＩＭＯ無線通信システムの図である。図３Ａは、送信機の構成を示し、図３Ｂは、受信機の構成を示す。なお、ここでは、便宜上、それぞれ４本のアンテナを有する送信機及び受信機について説明するが、本実施の形態に係る送信機及び受信機の各アンテナ数は４本に限定されない。本発明が適用できる送信機及び受信機は、ＭＩＭＯチャネルを形成できる複数のアンテナを有していれば良い。
【００２６】
図３Ａの送信機は、送信アンテナ構成選択３０１、ＣＲＣ付加３０２、チャネル符号化３０４、インタリーブ３０６、シンボルマッピング３０８、パイロット信号挿入３１０、ＤＡＣ３１２及び送信アンテナ３１４を含む。信号送信を行う送信部を構成するチャネル符号化３０４、インタリーブ３０６、シンボルマッピング３０８、パイロット信号挿入３１０、ＤＡＣ３１２及び送信アンテナ３１４については、前述した送信機におけるチャネル符号化２０４、インタリーブ２０６、シンボルマッピング２０８、パイロット信号挿入２１０、ＤＡＣ２１２及び送信アンテナ２１４と同様である。ＣＲＣ付加３０２の動作は基本的にＣＲＣ付加２０２と同様であるが、その動作は、送信アンテナ構成選択３０１によって制御される。送信アンテナ構成選択３０１については後述する。
【００２７】
図３Ｂの受信機は、受信アンテナ３１６、ＡＤＣ３１８、ＭＩＭＯ復号化３２０、デマッピング３２２、デインタリーブ３２４、復号化３２６、受信アンテナ構成選択３２７及びＣＲＣ誤り検出３２８を含む。信号受信を行う受信部を構成する受信アンテナ３１６、ＡＤＣ３１８、ＭＩＭＯ復号化３２０、デマッピング３２２、デインタリーブ３２４及び復号化３２６については、前述した受信機における受信アンテナ２１６、ＡＤＣ２１８、ＭＩＭＯ復号化２２０、デマッピング２２２、デインタリーブ２２４及び復号化２２６と同様である。ＣＲＣ誤り検出３２８の動作は基本的にＣＲＣ誤り検出２２８と同様であるが、その動作は、受信アンテナ構成選択３２７によって制御される。受信アンテナ構成選択３２７については後述する。
【００２８】
以下、送信アンテナ構成選択３０１について説明する。
【００２９】
図４Ａ、図４Ｂ及び図４Ｃは、本発明によって提供される、つまり、送信アンテナ構成選択３０１によって選択される様々なアンテナ構成を例示するものである。
【００３０】
図４Ａは、タイプIの構成を表す。これは、図１Ａ及び図１Ｂを用いて説明したシステムである。この構成では、存在するアンテナ数とは無関係に、データパケットに対してシングルＣＲＣが付加される。このタイプの構成を採用することの利点は、チャネル符号化を受けるパケットのサイズを大きくできることである。より長い符号は通常、より短い符号に比べて、誤り率の低減に寄与することができる。
【００３１】
図４Ｂは、タイプIIの構成を表す。これは、図２Ａ及び図２Ｂを用いて説明したシステムである。この構成では、異なるアンテナチェーン上の各パケットに対して個別にＣＲＣデータが付加される。このようにすると、誤りが発生したアンテナストリームのみが再送を必要とするので、ＡＲＱのレスポンスを高速にすることができる。よって、全体スループットが著しく向上する。
【００３２】
図４Ｃは、タイプIIIの構成を表す。この構成は、タイプIとタイプIIの構成の組み合わせである。このタイプは、低誤り率の実現と待ち時間の短縮との両立を実現するためのものである。他の利点としては、マルチＣＲＣのために必要なシグナリングオーバヘッドの削減と不要な再送の抑制との両立が挙げられる。
【００３３】
これらの３つのアンテナ構成の中から選択する上で、幾つかの基準を適用することができる。一つは、ＱｏＳ要求に従って送信タイプを選択することである。その他の基準としては、ＡＲＱフィードバック情報、チャネルフィードバック情報又は使用された変調符号化方式（ＭＣＳ）に基づく選択が挙げられる。
【００３４】
本発明の第一の好適な形態として、ＱｏＳ要求に従うアンテナ構成選択について説明する。エンドユーザの様々な用途に対するＱｏＳ要求を満たすために、時として、システムは、異なる待ち時間及びパケット誤り率のパフォーマンスを伴うトラフィッククラスの柔軟な組み合わせの構成をサポートする必要がある。
【００３５】
本発明は、トラフィッククラスの複数の組み合わせをサポートすることができる。これらは主に、ＱｏＳに関連する２つのタイプの要件を含んでいる。システムは、低誤り率又は低待ち時間の要件のいずれかを満たす必要がある。所定値より低い待ち時間を要求するシステムについては、頻繁に、短時間に大量のデータ送信が要求される一方、正確性は比較的重要ではない。その例としては、ビデオストリーミングやファックスなどの用途が挙げられる。
【００３６】
一方、所定値より低い誤り率を要求するシステムについては、データの正確性が最も重要である。その例としては、Ｅコマース、ウェブ閲覧及びＥメールアクセスが挙げられるほか、インスタントメッセージングなどのようなその他のインタラクティブサービスが挙げられる。
【００３７】
したがって、ＱｏＳ要求に従ってアンテナ構成の選択を行う場合、所定値より低い誤り率を要求するシステムに対してはタイプI構成を割り当てて、所定値より低い待ち時間を要求するシステムに対してはタイプII構成を割り当てるのが好適である。誤り耐性が低く遅延耐性が高いシステムは高速のＡＲＱ応答を要求しないので、マルチＣＲＣを採用する必要がない。その代わり、符号化の長さを最大化することによって誤り率を最小化するためには、シングルＣＲＣをシステムに採用すべきである。このようにすることで、必要な再送数が削減される。一方、遅延耐性が低く誤り耐性が高いシステムは、高速のＡＲＱ応答を要求することがある。よって、マルチＣＲＣを採用する。これにより、崩れたストリームのみが再送されるので、不要な再送が抑制される。
【００３８】
タイプIIIの構成については、アンテナのグループ化の方法が幾つか存在する。これは、送信機にフィードバックされるＡＲＱ情報に依存する。ＡＲＱのＡＣＫ／ＮＡＣＫ情報を大まかな尺度として用いて、アンテナの品質を推定する。対応するデータの再送が要求されないアンテナは、再送が要求されるアンテナに比べて良好な品質であるとみなされる。この場合、グループ化の方法は、これらのアンテナの品質に依存する。
【００３９】
図５に示された例では、今回送信されたパケットに対してタイプIIの構成が選択されている。次回送信されるパケットについての送信方法の選択に関して言えば、Ｔｘ１及びＴｘ２に対応する二つのアンテナが一つのグループにグループ化される。これは、これら二つのアンテナが再送を要求する確率が高くないからである。一方、再送が行われる確率が比較的高いアンテナについては、マルチＣＲＣが使用され続ける。このタイプの再送が採用される目的は、全アンテナからのＡＲＱフィードバックに起因するオーバヘッドを、タイプIIの構成に比べて削減することである。タイプIIIの構成は、低誤り率や低待ち時間などのような厳しい制約を有していないＱｏＳ要求に非常に適している。
【００４０】
一方、システムが既にタイプI又は図６に示されているようなタイプIIIによる送信を採用している場合であって、誤りが特定のアンテナグループに対して発生した場合は、次回の送信に際して、特定のアンテナグループがより小さいグループに分けられるようアンテナ構成を選択し、分けられた各アンテナグループに対してシングルＣＲＣを採用することができる。より小さいグループにアンテナを分けることによって、不要な再送を減らすことができ、待ち時間を短縮することができる。
【００４１】
本発明の第二の好適な形態では、アンテナ構成の選択は、送信機にて受信されたＡＲＱフィードバック情報に従って行われる。送信機は、ＡＲＱフィードバック情報を収集して、長期にわたるＡＲＱ統計値を得る。長期にわたるＡＲＱ統計値が、所定値より低い割合の再送を示している場合は、タイプIが選択される。これは、再送の割合が低いときにマルチＣＲＣが用いられてもスループット向上は著しいものにはならないからである。タイプIの構成を用いることによって、送信機及び受信機の双方での処理を軽減することができる。
【００４２】
しかしながら、長期にわたるＡＲＱ統計値が、所定値より高い割合の再送を示している場合は、タイプII又はタイプIIIの構成が選択されるべきである。これにより、再送がより容易に且つより効率的に処理できる。誤りに関するパフォーマンスが長期にわたって高いレベルであるアンテナについては、各アンテナのパケットにシングルＣＲＣを付加してより効率的なＡＲＱを実行するべきである。
【００４３】
さらに、本発明の第三の好適な形態では、アンテナ構成の選択は、送信機にて受信されたチャネル品質フィードバック情報に従って行われる。一般的なクローズドループ型のフィードバックシステムでは、通常、受信機は、送信機に対して、アダプテーションのために特定形式のチャネル情報を供給する。ＭＩＭＯシステムにおいては、受信機によってチャネル統計値が得られた場合にＭＩＭＯチャネル品質が判定できる。これらの統計値から、各アンテナの品質が分かる。
【００４４】
全アンテナが所定値より高い品質であることが分かった場合、タイプIの構成が適用されるべきである。つまり、これらのアンテナから送信すべきデータにはシングルＣＲＣが付加される。その理由は、高品質のアンテナについては再送要求の確率が低くタイプIの構成を使用すると必要な所要演算量が削減されるということである。
【００４５】
一方、全アンテナが所定値より低い品質であることが分かった場合、タイプIIの構成が割り当てられるべきである。これは、このようなアンテナについては再送要求の確率が高いからである。タイプIIの構成は再送効率を向上させ、よって、全体のスループットを著しく増大させることができる。
【００４６】
図７に示すように、高品質のアンテナと低品質のアンテナとが共存している場合は、タイプIIIの構成が採用されるべきである。前述の各ケースと同様に、高品質のアンテナは一つのグループを形成し、これらのアンテナから送信すべき各パケットにはシングルＣＲＣが付加される。これに対して、低品質のアンテナに関しては、各アンテナのパケットは、アンテナ毎に個別にＣＲＣデータが付加される。
【００４７】
最後に、本発明の第四の好適な形態では、アンテナ構成の選択は、システムによって用いられたＭＣＳに従って行われる。全てのアンテナに対して所定値より低いＭＣＳレベル（例えば、低多値数変調方式であるＱＰＳＫと低符号化率である１／３との組み合わせ）を用いたシステムに対しては、タイプIの構成が割り当てられる。このようなシステムでのデータレートは低くなるため、再送要求の確率は低い。よってタイプIの構成の採用が適切である。
【００４８】
全てのアンテナに対して所定値より高いＭＣＳレベル（例えば、高多値数変調方式である１６ＱＡＭと高符号化率である３／４との組み合わせ）を用いたシステムに対しては、タイプIIの構成が採用されるべきである。このようなシステムは高データレートであるため、再送の確率は高い。このため、タイプIIの構成により、再送効率を向上させることができる。
【００４９】
しかしながら、図８に示されたように、システムにおいて、アンテナ毎に異なるＭＣＳレベルが用いられた場合、例えば、いずれかのアンテナに対して所定値より高いＭＣＳレベルが用いられ他のいずれかのアンテナに対して所定値より低いＭＣＳレベルが用いられた場合、低データレートで伝送を行うアンテナが一つのグループを形成すべきであり、そのグループに対してシングルＣＲＣが採用される。これに対して、高データレートで伝送を行うアンテナについてはマルチＣＲＣの構成を採用する。このように柔軟なタイプIIIの構成を用いることで、システムの適応能力並びにシステムのリソース及びパフォーマンスの最適化を確実にすることができる。
【００５０】
ところで、受信機の受信アンテナ構成選択３２７の動作は、前述した送信機の送信アンテナ構成選択３０１の動作と完全に対応する。例えば、送信アンテナ構成選択３０１によってタイプIの構成が選択された場合は、受信アンテナ構成選択３２７によってタイプIの構成が選択され、送信アンテナ構成選択３０１によってタイプIIの構成が選択された場合は、受信アンテナ構成選択３２７によってタイプIIの構成が選択され、送信アンテナ構成選択３０１によってタイプIIIの構成が選択された場合は、受信アンテナ構成選択３２７によってタイプIIIの構成が選択される。タイプIIIの構成が選択される場合、その構成の詳細も送信側と受信側とで一致する。
【００５１】
送信側と受信側の双方でのアンテナ構成選択を完全に一致させるために、送信アンテナ構成選択３０１の結果が、送信機から受信機に通知されても良い。なお、送信アンテナ構成選択が受信機において実行される場合、その選択結果は、受信機から送信機に対して通知されても良い。
【００５２】
当業者であれば、本発明は、本発明概念の幅及び範囲内における種々の変更を開示していることを認識するであろう。上記は本発明の好適な実施の形態であると考えられるが、様々な変更が可能であり且つ本発明が様々な形式及び形態によって実施可能であることが理解される。したがって、本発明の幅及び範囲は上記の形態のみに限定されるべきではなく、後述の請求の範囲及びその均等物を参照することによって判断されるべきである。
【産業上の利用可能性】
【００５３】
本発明の無線通信装置、無線通信方法及び無線受信装置は、ＭＩＭＯ通信システムでの使用に適している。
【符号の説明】
【００５４】
３１６  アンテナ
３１８  ＡＤＣ
３２０  ＭＩＭＯ復号化
３２２  デマッピング
３２４  デインタリーブ
３２６  復号化
３２７  受信アンテナ構成選択
３２８  ＣＲＣ誤り検出
【図１Ａ】
2011050080.tif 000003
【図１Ｂ】
2011050080.tif 000004
【図２Ａ】
2011050080.tif 000005
【図２Ｂ】
2011050080.tif 000006
【図３Ａ】
2011050080.tif 000007
【図３Ｂ】
2011050080.tif 000008
【図４Ａ】
2011050080.tif 000009
【図４Ｂ】
2011050080.tif 000010
【図４Ｃ】
2011050080.tif 000011
【図５】
2011050080.tif 000012
【図６】
2011050080.tif 000013
【図７】
2011050080.tif 000014
【図８】
2011050080.tif 000015